(57)【要約】【課題】圧力水が、弁体の導水路に流入する際に、弁体を回転させないようにすることにある。【解決手段】切替弁は、いずれも、力水供給源に連通される水入口と、少なくとも１つの緯入れノズルを含む複数の端末出水口のいずれか１つに選択的に連通される複数の水出口とを有する弁本体と、弁本体に回転可能に挿通された弁体であって水入口を水出口の１つに連通させる導水路を有する弁体とを含む。導水路は、弁体の軸線と平行な面と、軸線の方向に互いに離間していると共に前記軸線と交差する方向へ伸びる２つの面とを含む溝を有し、導水路は、弁体の所定の回転位置において水入口と特定の水出口とを連通可能であると共に、弁体の異なる回転位置において水入口と特定の水出口とは異なる他の水出口とを連通可能であり、平行な面は、弁体の１つの所定の回転位置において、水入口から当該弁体の回転中心を通る直線と略直交すると共に、水出口のいずれか１つは溝に開口する。【選択図】　　　図３
2004027394.tif 000002
【特許請求の範囲】
【請求項１】
圧力水供給源に連通される水入口と、少なくとも１つの緯入れノズルを含む複数の端末出水口の１つに連通される複数の水出口とを有する弁本体と、該弁本体に回転可能に挿通された弁体であって前記水入口を前記水出口の１つに連通させる導水路を有する弁体とを含み、
前記導水路は、前記弁体の軸線と平行な面と、前記軸線の方向に互いに離間していると共に前記軸線と交差する方向へ伸びる２つの面とを含む溝を有し、
前記導水路は、前記弁体の所定の回転位置において前記水入口と特定の水出口とを連通可能であると共に、前記弁体の異なる回転位置において前記水入口と前記特定の水出口とは異なる他の水出口とを連通可能であり、
前記平行な面は、前記弁体の１つの所定の回転位置において、前記水入口から当該弁体の回転中心を通る直線と略直交すると共に、水出口のいずれか１つは前記溝に開口する、水噴射式織機の切替弁。
【請求項２】
前記溝は前記水入口と前記水出口とを繋ぐ方向に延在していると共に弁体の外周面に開放している、請求項１に記載の切替弁。
【請求項３】
圧力水供給源に連通される水入口と、少なくとも１つの緯入れノズルを含む複数の端末出水口の１つに連通される複数の水出口とを有する弁本体と、該弁本体に回転可能に挿通された弁体であって前記水入口を前記水出口の１つに連通させる導水路を有する弁体とを含み、
前記導水路は、前記弁体の所定の回転位置において、前記水入口に連通されて、当該弁体の回転中心に向けて延在する第１の水路と、前記水出口のいずれか１つに連通されると共に、前記水入口から前記回転中心を通る直線と７０°よりも小さい角度で前記第１の水路と交差する方向に延在して前記第１の水路に連通すべく前記回転中心に向かう第２の水路とを含み、
前記弁体は、前記所定の回転位置において、前記第２の水路の内壁のうち前記水入口に対向する箇所に、前記直線に対し９０°±２０°で交差する壁面を有している、水噴射式織機の切替弁。
【請求項４】
圧力水供給源に連通される水入口と、少なくとも１つの緯入れノズルを含む複数の端末出水口の１つに連通される複数の水出口とを有する弁本体と、該弁本体に回転可能に挿通された弁体であって前記水入口を前記水出口の１つに連通させる導水路を有する弁体とを含み、
前記導水路は、前記弁体の所定の回転位置において前記水入口に連通されて当該弁体の回転中心に向けて伸びる第１の水路と、前記水出口のいずれか１つに連通されかつ前記第１の水路と交差する方向に延在して前記第１の水路に連通すべく前記回転中心に向かう第２の水路とを含み、
前記弁体は、前記所定の回転位置において前記第２の水路の内壁のうち前記水入口に対向する箇所に、前記水入口に向けて開口する穴を有している、水噴射式織機の切替弁。
【請求項５】
前記穴は、前記第１の水路の軸線を含む状態で、前記水入口の方向と反対方向に延在している、請求項４に記載の切替弁。
【請求項６】
圧力水供給源に連通される水入口と、少なくとも１つの緯入れノズルを含む複数の端末出水口の１つに連通される複数の水出口とを有する弁本体と、該弁本体に回転可能に挿通された弁体であって前記水入口を前記水出口の１つに連通させる導水路を有する弁体とを含み、
前記導水路は、前記弁体の所定の回転位置において前記水入口と特定の水出口とを連通可能であり、かつ前記弁体の異なる回転位置において前記水入口と他の水出口とを連通可能であり、
前記導水路は、さらに、前記弁体の少なくとも１つの所定の回転位置において、前記弁本体の内壁の一部を当該導水路に露出させて前記水入口に対向させるように形成されている、水噴射式織機の切替弁。
【請求項７】
前記導水路は、前記弁本体の内壁の一部を前記水入口の少なくとも中心部分に対向させるように形成されている、請求項６に記載の切替弁。
【請求項８】
請求項１から７のいずれか１項に記載の第１の切替弁と、該切替弁の弁体を駆動させる専用の電気式アクチュエータとを含む、圧力水供給装置。
【請求項９】
さらに、請求項１から７のいずれか１項に記載の１以上の第２の切替弁と、前記第１の切替弁に連通された第１の圧力水供給源と、前記第２の切替弁に連通された１以上の第２の圧力水供給源とを含み、前記第１及び第２の切替弁の弁体は、同軸に連結されて前記電気式アクチュエータにより駆動される、請求項８に記載の圧力水供給装置。
【発明の詳細な説明】
【０００１】
【発明の属する技術分野】
本発明は、水噴射織機における圧力水の切り替えに用いられる切替弁及び圧力水供給装置に関する。
【０００２】
【従来の技術】
水噴射式織機の緯入れに用いられる圧力水のための切替弁は、一般に、圧力水供給源に連通される水入口と、緯入れノズルのような端末出水口に連通される複数の水出口とを弁本体に備えていると共に、水入口と１つの水出口とを選択的に連通させる導水路を弁本体に挿通される弁体に備えており、弁体を駆動させることにより、水入口と１つの水出口とを導水路により連通させる構造とされている。
【０００３】
そのような切替弁を用いた、緯入れ用圧力水供給装置の１つとして、特開平１０−１８４７号に記載されたものがある。この従来技術において、弁本体に配置された弁体をロータリーソレノイドのような電気式アクチュエータにより駆動させて、圧力水供給源からの圧力水を切替弁により複数の緯入れノズルの１つに選択的に供給している。
【０００４】
【解決しようとする課題】
従来の切替弁では、弁体に設けられた導水路がＹ字状に形成されているにすぎないから、圧力水が弁体の導水路に流入してその導水路を通過する際に、その圧力水が導水路の壁に衝突し、弁体を回転させる。このため、電気式アクチュエータは、弁体を逆方向に回転させて、元の状態に復帰させるように作動する。
【０００５】
その結果、弁本体が一方と他方とに交互に回転されて、弁体と弁本体との間に摩耗が生じるから、圧力水の漏れが生じるのみならず、水入口と導水路及び導水路と水出口で瞬間的にズレが生じ、それらのために緯入れノズルから噴射される圧力水の噴射が弱くなる。
【０００６】
本発明の目的は、圧力水が、弁体の導水路に流入する際に、弁体を回転させないようにすることにある。
【０００７】
【解決手段、作用、効果】
本発明に係る切替弁は、いずれも、圧力水供給源に連通される水入口と、少なくとも１つの緯入れノズルを含む複数の端末出水口の１つに連通される複数の水出口とを有する弁本体と、該弁本体に回転可能に挿通された弁体であって前記水入口を前記水出口の１つに連通させる導水路を有する弁体とを含む。
【０００８】
本発明に係る切替弁においては、前記導水路は、前記弁体の軸線と平行な面と、前記軸線の方向に互いに離間していると共に前記軸線と交差する方向へ伸びる２つの面とを含む溝を有しており、また前記弁体の所定の回転位置において前記水入口と特定の水出口とを連通可能であると共に、前記弁体の異なる回転位置において前記水入口と前記特定の水出口とは異なる他の水出口とを連通可能である。前記平行な面は、前記弁体の１つの所定の回転位置において、前記水入口から当該弁体の回転中心を通る直線と略直交すると共に、水出口のいずれか１つは前記溝に開口する。
【０００９】
上記切替弁において、導水路に流入した圧力水は、弁体の軸線と平行な面に衝突してその面を押圧するが、その面に略直角に衝突するから、弁体の回転中心と、該回転中心から離れて作用することにより弁体に回転トルクを生じる力であって、その面を直角方向に押す力との距離が小さくなる。そのため弁体に作用する回転トルクが小さくなって、弁体を回転させない。
【００１０】
また、上記切替弁において、圧力水は、弁体の平行な面を介して弁体を弁本体に押圧して、弁体を所定の回転位置（回転角度位置）に積極的に維持する。このため、弁体の揺動に起因する導水路と水出口とのズレが生じず、連通が妨げられないから、緯入れノズルからの圧力水噴射が損なわれることが抑えられる。
【００１１】
前記溝は前記水入口と前記水出口とを繋ぐ方向に延在していると共に弁体の外周面に開放していてもよい。そのようにすれば、圧力水は、前記平行な面に衝突した後、その平行な面に沿って弁本体に達することができるから、衝突後の圧力水が他の壁面に衝突して水入口側に屈曲することがなく、したがって屈曲による圧力損失を生じないし、回転力を弁体に作用させない。
【００１２】
本発明に係る他の切替弁においては、前記導水路は、前記弁体の所定の回転位置において、前記水入口に連通されて、当該弁体の回転中心に向けて延在する第１の水路と、前記水出口のいずれか１つに連通されると共に、前記水入口から前記回転中心を通る直線と７０°よりも小さい角度で前記第１の水路と交差する方向に延在して前記第１の水路に連通すべく前記回転中心に向かう第２の水路とを含む。前記弁体は、前記所定の回転位置において前記第２の水路の内壁のうち前記水入口に対向する箇所に、前記直線に対し９０°±２０°で交差する壁面を有している。
【００１３】
上記他の切替弁において、導水路に流入した圧力水は、第２の水路の上記壁面に衝突して当該壁面を押圧するが、その壁面に略直角に衝突するから、弁体には回転力はほとんど作用しない。
【００１４】
また、上記壁面に衝突する圧力水は、壁面を介して弁体を弁本体に押圧して、弁体を所定の回転位置に積極的に維持する。このため、弁体の揺動に起因する導水路と水出口とのズレが生じず、連通が妨げられないから、緯入れノズルからの圧力水噴射が損なわれることが抑えられる。
【００１５】
本発明に係るさらに他の切替弁においては、前記導水路は、前記弁体の所定の回転位置において前記水入口に連通されて当該弁体の回転中心に向けて伸びる第１の水路と、前記水出口のいずれか１つに連通されかつ前記第１の水路と交差する方向に延在して前記第１の水路に連通すべく前記回転中心に向かう第２の水路とを含む。前記弁体は、前記所定の回転位置において前記第２の水路の内壁のうち前記水入口に対向する箇所に、前記水入口に向けて開口する穴を有している。
【００１６】
上記さらに他の切替弁において、水入口から第１の水路に流入した圧力水は、穴の端部壁（すなわち、穴の奥底壁）に衝突して多方向に跳ね返り、多方向から穴の周壁に衝突する。このため、圧力水が穴壁を介して弁体を押すときに弁体に作用する力（押圧力）の方向は、多方向に分散される。これにより、弁体に作用する回転力が左右方向で略均衡し、弁体は回転を防止される。
【００１７】
また、圧力水は、穴壁を介して弁体を弁本体に押圧して、弁体を所定の回転位置に積極的に維持する。このため、弁体の揺動に起因する導水路と水出口とのズレが生じず、連通が妨げられないから、緯入れノズルからの圧力水噴射が損なわれることが抑えられる。
【００１８】
前記穴は、前記第１の水路の軸線を含む状態で、前記水入口の方向と反対方向に延在させることができる。そのようにすれば、水入口から導水路に流入した圧力水は、穴の端部壁に衝突してその端部壁を押すが、穴が第１の軸線を含むため、弁体に作用する回転力が左右方向でより均衡し、弁体は回転を確実に防止される。
【００１９】
本発明に係るさらなる他の切替弁において、前記導水路は、前記弁体の所定の回転位置において前記水入口と特定の水出口とを連通可能であり、かつ前記弁体の異なる回転位置において前記水入口と他の水出口とを連通可能であり、さらに前記弁体の少なくとも１つの所定の回転位置において前記弁本体の内壁の一部を当該導水路に露出させて前記水入口に対向させるように形成されている。
【００２０】
上記さらなる他の切替弁において、導水路に流入した圧力水は、水入口から直進して、本体の内壁のうち、導水路を介して水入口に対向する内壁に衝突する。このため、弁体は押圧されず、回転力は弁体に作用しない。
【００２１】
本発明に係る圧力水供給装置は、上記いずれかの第１の切替弁と、該切替弁の弁体を駆動させる専用の電気式アクチュエータとを含む。そのようにすれば、弁体を回転位置に維持する力が不十分な電気式アクチュエータであっても、弁体は導水路に流入する圧力水により所定の回転位置に維持される。
【００２２】
圧力水供給装置は、さらに、請求項１から７のいずれか１項に記載の１以上の第２の切替弁と、前記第１の切替弁に連通された第１の圧力水供給源と、前記第２の切替弁に連通された１以上の第２の圧力水供給源とを含み、前記第１及び第２の切替弁の弁体は同軸に連結されて前記電気式アクチュエータにより駆動されるようにしてもよい。
【００２３】
複数の切替弁の弁体同士を連結して電気式アクチュエータを複数の切替弁毎に設ける必要性をなくした場合、一般的には、一方の切替弁の弁体が回転すると、他方の切替弁の弁体が回転されるから、圧力水に起因する弁体の回転が相互に影響を及ぼす、という弊害を生じる。
【００２４】
しかし、上記の圧力水供給装置の場合、圧力水が切替弁の導水路を通過する際、その弁体が回転されないから、その弁体に連結された他の切替弁の弁体を回転させない。したがって、非選択の切替弁がその弁体に連結されている選択切替弁の弁体を回転させることに起因する、選択された緯入れノズルからの圧力水噴射を損なうことがないし、これとは逆に選択された切替弁がその弁体に連結されている非選択の切替弁の弁体を回転させることに起因する、非選択の切替弁からの圧力水の外部への排出不良が生じない。
【００２５】
また、圧力水が弁体を弁本体に押圧して、弁体の回転を積極的に規制する上記の切替弁を用いた場合、一方の弁体は、所定の回転位置に維持されて、一方の弁体に連結された他方の弁体の圧力水の通過に起因する回転を抑える。
【００２６】
本発明において、複数の端末出水口は、それぞれ、緯入れノズルであってもよい。また、圧力水供給源を切替弁毎に備える圧力水供給装置においては、各切替弁の端末出水口には、対応する圧力水供給源からの圧力水を外部に排出する排水口が含まれる。
【００２７】
【発明の実施の形態】
図１〜図３を参照するに、圧力水供給装置１０は、第１及び第２の緯入ノズル（図示せず）を用いる多色緯入れの水噴射式織機に用いられている。第１及び第２の緯入ノズルは、緯入れ可能の緯糸に個々に対応されている。
【００２８】
圧力水供給装置１０は、第１及び第２の切替弁１２及び１４を用いて、切替弁に個々に対応された給水ポンプのような第１及び第２の圧力水供給源１６及び１８からの圧力水を第１及び第２の緯入ノズルのいずれか１つに選択的に供給する装置を構成している。
【００２９】
切替弁１２及び１４は、それぞれ、弁本体２０及び２２と、対応する弁本体内に角度的に回転可能に配置された弁体２４及び２６と、弁本体２０及び２２を収納しているケース２８及び３０とを備えている。
【００３０】
弁体２４及び２６は、一体に製作されており、またロータリーソレノイドのような電気式アクチュエータ３２の駆動軸３４にカップリング３６により連結されて、織機と同期して所定のタイミングで同時に回転駆動される。図示の例では、ケース２８及び３０も一体的に形成されている。
【００３１】
切替弁１２及び１４の弁本体２０及び２２並びにケース２８及び３０は、それぞれ、圧力水のための１つの水入口３８及び４０と、２つの水出口４２，４４及び４６，４８とを有している。
【００３２】
切替弁１２及び１４の弁体２４及び２６は、それぞれ、圧力水を対応する弁本体の水出口の１つに選択的に導く導水路５０及び５２を有している。
【００３３】
水入口３８及び４０は、それぞれ、パイプ５４及び５６を介して第１及び第２の圧力水供給源１６及び１８に連通されている。各弁本体２０及び２２に形成される第１及び第３の水出口４２及び４６は、それぞれ、パイプ５８及び６０を介して第１及び第２の緯入れノズルに連通されている。各弁本体２０及び２２に形成される第２及び第４の水出口４４及び４８は、それぞれ、パイプ６２及び６４を介して第１及び第２の排出口（図示せず）に連通されている。
【００３４】
パイプ５４，５６，５８，６０，６２，６４の各々は、留め具と止めねじとにより対応するケース２８又は３０に連結されている。圧力水供給源１６及び１８は、それぞれ、織機と同期して所定のタイミングで駆動されて回収タンク（図示せず）内の水を吸引し、圧力水にして、パイプ５４及び５６を介し、水入口３８及び４０に供給する。
【００３５】
図示の実施例において、第１及び第２の緯入れノズル並びに第１及び第２の排水口は、いずれも、圧力水を噴射又は排出する端末出水口として作用する。
【００３６】
弁体２０及び２２は、それぞれ、水入口３８及び４０を導水路５０及び５２により、図３（Ａ１）及び（Ｂ２）に示すように水出口４２及び４６に連通させる選択停止位置と、図３（Ａ２）及び（Ｂ１）に示すように水出口４４及び４８に連通させる非選択停止位置とに、電動アクチュエータ３２により角度的に回転される。
【００３７】
選択停止位置は、その切替弁及び対応する緯入れノズルが選択されたことにより、供給された圧力水を対応する緯入れノズルに供給するための位置である。これに対し、非選択停止位置は、その切替弁及び対応する緯入れノズルが選択されなかったことにより、供給された圧力水を対応する排出口から回収タンクに回収するための位置である。
【００３８】
両切替弁１２，１４において、一方の切替弁は、対応する緯入れノズルが選択されると、その緯入れノズルに圧力水を供給するように駆動され、そのとき他方の切替弁は、対応する緯入れノズルと共に非選択となるから、圧力水を回収タンク（図示せず）に排出するように駆動される、という手法で弁体２４及び２６がアクチュエータ３２により同時に駆動される。
【００３９】
しかし、弁体２４，２６は一体に駆動されるから、弁体２４が図３（Ａ１）に示す選択停止位置に移動されているとき、弁体２６は図３（Ｂ１）に示す非選択停止位置に移動されており、弁体２６が図３（Ｂ２）に示す選択停止位置に移動されているとき、弁体２４は図３（Ａ２）に示す非選択停止位置に移動されている。
【００４０】
導水路５０及び５２の各々は、図３に示すように、対応する弁体２４及び２６の軸線（すなわち、回転中心）６６と平行な面（実施例では軸線６６を含む面）６８と、軸線６６の方向に互いに離間していると共に軸線６６と交差する２つの面７０，７０（一方は、図示せず）とにより形成される流路溝を含んでいる。
【００４１】
導水路５０及び５２の各々は、図示の例では、円形断面の弁体の直径方向へ伸びて対応する弁本体の内周面に開放するＵ字状又はコ字状の流路溝の形に形成されている。それゆえに、面６８は流路溝の底面として作用し、面７０，７０は流路溝の側面として作用する。
【００４２】
面６８は、図示の例では、対応する水入口から流入する圧力水が衝突する第１及び第２の水衝突面６８ａ，６８ｂと、第１及び第２の水衝突面６８ａ及び６８ｂにそれぞれ続きかつ対応する水出口に連通される連通面６８ｃ，６８ｄとを含んでいる。図示の例では、水衝突面６８ａ，６８ｂは、互いに直交している。
【００４３】
面７０，７０は、図示の例では、軸線６６に垂直な面であり、したがって図３において紙面と平行な互いに離間する面である。しかし、面７０，７０は、軸線６６と必ずしも直角に交差しなくても良く、また、それぞれ異なる角度で軸線６６と交差して互いに平行とならなくても良い。
【００４４】
圧力水供給装置１０は、さらに、切替弁１２，１４の弁体２４，２６の上記のような位置を規制すべく弁体２４，２６と共に角度的に回転されるストッパ７２と、ストッパ７２の角度的回転範囲を規制する一対の位置調整板７４，７４（一方は図示せず）とを含む。ストッパ７２はカップリング３６に取り付けられている。位置調整板７４，７４は、ストッパ７２の角度的回転可能範囲を調整可能にケース２８に取り付けられている。
【００４５】
少なくとも織機の稼働中は、圧力水供給源１６及び１８から所定の値に加圧された圧力水が、それぞれ、対応する切替弁１２，１４に供給されている。切替弁１２及び１４の水入口３８及び４０の軸線６６は、弁体２４及び２６の軸線６６即ち回動中心を通る。このため、水入口３８又は４０から導水路５０又は５２に流入する水は、対応する弁体２４又は２６の軸線６６即ち回動中心に向けて進む。
【００４６】
圧力水供給装置１０において、第１の緯入れノズルが選択されると、切替弁１２が選択状態におかれ、第２の緯入れノズルと切替弁１４が非選択状態におかれる。
【００４７】
この状態においては、切替弁１２の弁体２４が図３（Ａ１）に示す選択停止位置に変位されるのに対し、切替弁１４の弁体２６が図３（Ｂ１）示すように非選択停止位置に変位されている。これにより、圧力水供給源１６からの圧力水は切替弁１２により第１の緯入れノズルに供給されるが、圧力水供給源１８からの圧力水は切替弁１４により排水口から回収タンクに排出される。
【００４８】
これに対し、第２の緯入れノズルが選択状態におかれると、切替弁１４の弁体２６は図３（Ｂ２）に示す選択停止位置に変位されるのに対し、切替弁１２の弁体２４は図３（Ａ２）示すように非選択停止位置に変位される。これにより、圧力水供給源１８からの圧力水は切替弁１４により第２の緯入れノズルに供給されるが、圧力水供給源１６からの圧力水は切替弁１２により排出口を介して回収タンクに排出される。
【００４９】
図３（Ａ１）に示すように、切替弁１２が選択停止位置に維持されていると、水入口からその導水路５０に流入した圧力水は、回転中心即ち軸線６６に向かって進み、軸線６６と平行な面６８、特に水衝突面６８ａ（実施例では軸線６６を含む）に衝突してその面６８ａを押圧する。
【００５０】
しかし、圧力水は、水衝突面６８ａに略直角に衝突するから、水衝突面６８ａを形成している壁を押す圧力水の押圧力（＝水衝突面６８ａに対して直角方向の力）と弁体２４の回転中心即ち軸線６６との距離はほぼ零となり、左右いずれの回転トルクもほとんど生じさせない。更に実施例では、水衝突面６８ａは回転中心即ち軸線６６を含むため、押圧力と弁体２４の回転中心との距離は更に小さくなると共に、衝突領域での左右それぞれの回転トルクが均衡し、弁体２４を回転させない。
【００５１】
また、導水路５０に流入した圧力水は、弁体２４を、水衝突面６８ａを介して弁本体２０に押圧する。これにより、弁体２４は所定の回転位置、特に選択停止位置に積極的に維持される。
【００５２】
切替弁１４も、選択位置に維持されているときは、切替弁１２と同様に作用し、同様の効果を生じる。
【００５３】
上記の結果、弁体２４の揺動に起因する導水路５０と水出口４２との連通の妨げが防止され、それにより緯入れノズルからの圧力水噴射が損なわれることが抑えられる。
【００５４】
切替弁１２，１４の流路溝は、いずれも、選択時にはそれぞれの緯入れノズルに対応する水出口の方向に延在するように形成され、弁本体の内面に達している。従って、選択時導水路５０，５２に流入した圧力水は、衝突面６８ａに衝突した後、面６８ａ、６８ｃに沿って弁本体に達することができ、その結果面６８ａに衝突後の圧力水が、他の壁面に衝突して屈曲することがなく、圧力水の衝突や屈曲による圧力損失を生じないし、回転力を弁体に作用させない。
【００５５】
導水路として、上記のような流路溝を弁体に形成する代わりに、複数の水路を弁体に形成してもよい。
【００５６】
図４を参照するに、切替弁８０は、弁本体８２と、弁本体８２に角度的に回転可能に配置された弁体８４とを含む。弁本体８２は、既に述べた切替弁１４（又は、１２）と同様に、１つの水入口４０（又は、３８）と、２つの水出口４６，４８（又は、４２，４４）とを有している。水出口４６，４８はそれぞれ異なる緯入れノズルに接続される。
【００５７】
弁体８４は、水入口４０を導水路８６により、一方の緯入れノズルに接続する水出口４６に連通させる第１の選択停止位置と、他方の緯入れノズルに接続する水出口４８に連通する第２の選択停止位置とに、選択的に回転される。
【００５８】
導水路８６は、Ｙ字状に連通された３つの水路９０，９２，９４により形成されている。各水路９０，９２，９４は、弁体８４の外周面から弁体８４の回転中心すなわち軸線６６に向けて伸びている。水路９０及び９２は、弁体８４が所定の回転位置において、弁本体８２の水入口４０に連通されて、弁体８４の回転中心すなわち軸線６６に向けて延在する。
【００５９】
水路９４は、弁体８４が第１の選択停止位置で水出口４６に連通されるように、水出口４６から軸線６６に向けて伸びて、水路９０に連通されており、弁体８４が回転して第２の選択停止位置で水出口４８に連通されると共に水路９２に連通される。水路９４は、水路９０と９２に対し同一の角度αで交差する。
【００６０】
弁体８４は、図４（Ａ）に示すように、水路９０が水入口４０に連通されて水路９４が水出口４６に連通されたときに水入口４０に対向する壁面９６と、図４（Ｂ）に示すように、水路９２が水入口４０に連通されて水路９４が水出口４８に連通されているときに水入口４０に対向する壁面９８とを、水路９４の内壁に有している。
【００６１】
壁面９６及び９８は、水入口４０から回転中心すなわち軸線６６を通る直線に対して所定の角度βでそれぞれ水路９０及び９２と交差している。
【００６２】
図示の例では、αは３０゜、βは９０゜とされている。すなわち、壁面９６及び９８は、それぞれ弁体の第１及び第２の選択停止位置で、水入口４０から軸線６６を通る直線に対し、９０°で交差している。水路９４は、水路９０及び９２と３０°で交差している。
【００６３】
壁面９６又は９８は、水入口４０に対向する全ての箇所を含む大きさを有していてもよいし、水入口４０に対向する箇所の一部を含む大きさを有していてもよい。また、壁面９６又は９８の形状は、図示の例では平面であるが、半球状、半円錐状等の凸面、凹面等、他の適宜な面としてもよい。
【００６４】
図４に示す切替弁において、水入口４０から水路９０又は９２に流入した圧力水は、水路９４の壁面９６又は９８に衝突して当該壁面９６又は９８を押圧するが、その壁面９６又は９８に略直角に衝突するから、壁面９６又は９８を押す圧力水の押圧力（＝壁面に対して直角方向の力）と弁体８４の回転中心即ち軸線６６との距離は小さく、弁体８４には回転力はほとんど作用しない。
【００６５】
また、壁面９６又は９８に衝突する圧力水は、壁面９６又は９８を介して弁体８４を弁本体８２に押圧して、弁体８４を所定の回転位置に積極的に維持する。このため、弁体８４の揺動に起因する導水路８６と水出口４６，４８との連通の妨げが防止されるから、緯入れノズルからの圧力水噴射が損なわれることが抑えられる。
【００６６】
上記の切替弁８０において、βは９０°±２０°の範囲内の角度、αは７０°よりも小さい角度とすることができる。
【００６７】
すなわち、水路９４は、水入口４０に連通されている水路９０又は９２に対し７０°よりも小さい角度αで延在して、水入口４０に連通されている水路９０又は９２と７０°よりも小さい角度αで交差させることができる。
【００６８】
また、壁面９６及び９８は、それぞれ、水入口４０から回転中心即ち軸線６６を通る直線に対し、９０°±２０°の角度範囲内の角度βでそれぞれ水路９０及び９２と交差させることができる。
【００６９】
図５を参照するに、切替弁１００は、水路９０が水入口４０に連通されて、水路９４が水出口４６に連通されているとき、９０°±２０°の角度範囲内の角度βで水路９０と交差する壁面９６を備えているが、壁面９８を備えていない点で、上記の切替弁８０と相違する。
【００７０】
しかし、この切替弁１００は、水出口４６が緯入れノズルに連通され、水出口４８が切替弁８０と異なり排水口に連通されているから、切替弁８０と同様に作用し、同様の効果を生じる。切替弁１００において、水出口４６を排水口に連通させ、水出口４８を緯入れノズルに連通させてもよい。
【００７１】
図６及び図７を参照するに、切替弁１０２は、水入口４０から軸線６６を通る直線に対する壁面９６及び９８の角度βは７５゜とし、水入口４０に連通された水路９０又は９２に対する水路９４の角度αは３０°としている。
【００７２】
図７は、上記の切替弁１０２において、圧力水が導水路８６の壁面を押圧することに起因して発生する弁体に対する回転力（回転トルク）を、壁面９６及び９８が弁体８４に備えられている場合（Ａ）と、備えられていない場合（Ｂ）について比較する図である。
【００７３】
壁面９６，９８を備える場合、押圧力Ｆは、（Ａ）に示すように、壁面９８に垂直な力Ａ１と、壁面９８に沿う方向の力Ｂ１とに分けられる。これに対し、壁面９６，９８を備えない場合、押圧力Ｆは、（Ｂ）に示すように、水路９４の内壁面に垂直な力Ａ０と、内壁面に沿う方向の力Ｂ０とに分けられる。
【００７４】
また、弁体８４に作用する回転トルクは、（Ａ）に示す壁面９６，９８を備える場合は、壁面９８に垂直な力Ａ１と、力Ａ１と回転中心即ち軸線６６の距離Ｌ１との積であるのに対し、壁面９６，９８を備えない場合、水路９４の内壁面に垂直な力Ａ０と、力Ａ０と軸線６６の距離Ｌ０との積である。
【００７５】
Ａ１＞Ａ０ではあるものの、図７から明らかなようにＬ１＜＜Ｌ０であるから、回転トルクは次式のようになる。
【００７６】
Ａ０×Ｌ０＞Ａ１×Ｌ１
よって、壁面９６，９８を弁体８４に形成することにより、弁体８４に作用する回転力は著しく低減される。それゆえに、切替弁１０２においても、切替弁８０と同様に作用し、同様の効果を生じる。
【００７７】
図８を参照するに、切替弁１１０は、弁本体１１２と、弁本体１１２に角度的に回転可能に配置された弁体１１４とを含む。弁本体１１２は、既に述べた切替弁１４（又は、１２）と同様に、１つの水入口４０（又は、３８）と、２つの水出口４６，４８（又は、４２，４４）とを有している。水出口４６，４８はそれぞれ異なる緯入れノズルに接続される。
【００７８】
弁体１１４は、水入口４０を導水路１４６により、第１の緯入れノズルに接続する水出口４６に連通させる第１の選択停止位置と、第２の緯入れノズルに接続する水出口４８に連通させる第２の選択停止位置とに選択的に回転される。
【００７９】
導水路１１６は、Ｙ字状に連通された３つの水路１２０，１２２，１２４により形成されている。各水路１２０，１２２，１２４は、弁体１１４の外周面から弁体１１４の軸線６６に向けて伸びている。
【００８０】
水路１２０，１２２は、弁体１１４の所定の回転位置において、水入口４０に連通される。水路１２４は、図８（Ａ）に示すように水路１２０が水入口４０に連通されているときに水出口４６に連通され、図８（Ｂ）に示すように水路１２２が水入口４０に連通されているときに水出口４６に連通される。
【００８１】
弁体１１４は、さらに、弁体１１４が所定の回転位置に回転された状態において、水入口４０に向けて開口する穴１２６及び１２８を、水路１２４の内壁のうち水入口４０に対向する箇所に有している。図示の例では、穴１２６及び１２８は、それぞれ、水路１２０及び１２２に同軸に接続される円筒状空間により形成される。
【００８２】
切替弁１１０において、水入口４０から水路１２０又は１２２に流入した圧力水は、穴１２６又は１２８の端部壁（すなわち、穴の奥底壁）に衝突して多方向に跳ね返り、多方向から穴１２６又は１２８の周壁に衝突する。このため、圧力水が穴１２６又は１２８の壁を介して弁体１１４を押すときに弁体１１４に作用する押圧力の方向は、多方向に分散される。これにより、弁体１１４に作用する回転力が左右方向で略均衡し、弁体１１４は回転を防止される。
【００８３】
また、圧力水は、穴壁を介して弁体１１４を弁本体１１２に押圧して、弁体１１４を所定の回転位置に積極的に維持する。このため、弁体１１４の揺動に起因して生じる導水路１１６と水出口４６又は４８との連通の妨げが防止されるから、緯入れノズルからの圧力水噴射が損なわれることが抑えられる。
【００８４】
穴１２６及び１２８は、それぞれ、水路１２０及び１２２の軸線を含む状態で、水入口４０の方向と反対方向に延在されている。このため、切替弁１１０によれば、また、水入口４０から導水路１１６に流入した圧力水は、穴１２６又は１２８の端部壁に衝突してその端部壁を押すが、穴１２６及び１２８がそれぞれ水路１２６及び１２８の軸線を含むため、弁体１１４に作用する回転力が左右方向でより均衡し、弁体１１４は回転を確実に防止される。
【００８５】
穴１２６及び１２８は、それぞれ、対応する水路１２０及び１２２と同軸とされているが、対応する水路１２６及び１２８に対し偏心させてもよい。また、穴１２６及び１２８は、水路１２４と交差する方向であれば、水路１２０及び１２２と交差する方向等、適宜な方向に伸びていてもよい。
【００８６】
穴１２６及び１２８の軸線と直角の断面積は、対応する水路１２０及び１２２と同じ大きさであってもよいし、対応する水路１２６及び１２８より大きい又は小さい等、対応する水路１２６及び１２８と異なっていてもよい。穴１２６及び１２８の端部壁の壁面（奥底面）は、平坦面であってもよいし、円錐状の凹面又は凸面であってもよい。
【００８７】
図９を参照するに、切替弁１３０は、穴１２６及び１２８の穴壁を、端部壁と周壁とを兼ねる円錐状の奥底壁と、水路１２０及び１２２の軸線方向に伸びる周壁とにより全周に周壁が形成されて穴形状をなしており、穴１２６及び１２８の奥底に円錐状の凹所１３２及び１３４を形成している。円錐状の奥底壁の壁面（凹所１３２及び１３４）の頂角は、１２０°程度とされている。
【００８８】
切替弁１３０においても、切替弁１１０と同様に作用し、同様の作用効果を生じる。
【００８９】
図１０を参照するに、切替弁１４０は、弁本体１４２と、弁本体１４２に角度的に回転可能に配置された弁体１４４とを含む。弁本体１４２は、既に述べた切替弁１４（又は、１２）と同様に、１つの水入口４０（又は、３８）と、２つの水出口４６，４８（又は、４２，４４）とを有している。
【００９０】
弁体１４４は、水入口４０を導水路１４６により、緯入れノズルに連通させる水出口４６に連通させる選択停止位置と、排出口に連通される水出口４８に連通させる非選択停止位置とに選択的に回転される。
【００９１】
弁体１４４の導水路１４６は、弁体１４４が選択停止位置及び非選択停止位置のいずれに停止されていても水入口に連通させる入口側水路１５０と、弁体１４４が選択停止位置に停止されているときは水入口４０を水出口４６に連通させると共に、非選択停止位置に停止されているときは水入口４０を水出口４８に連通させる出口側水路１５２と、両水路１５０及び１５２を連通させる中央水路１５４とを備えている。
【００９２】
入口側水路１５０と出口側水路１５２とは、いずれも、中央水路１５４に連通された中央水路連通部と、中央水路の直径寸法より長くかつ弁体１４４の周方向に延在する水出口連通部とにより、弁体１４４の周方向に伸びかつ弁体１４４の外周面に開放する溝状凹所に形成されている。中央水路１５４は、弁体１４４の軸線６６を通って弁体１４４の直径方向に伸び円筒形状をなしている。
【００９３】
したがって、導水路１４６は、弁体１４４の所定の回転位置において水入口４０と水出口４６とを連通可能であり、弁体１４４の異なる回転位置で水入口４０と水出口４８とを連通可能であり、さらに弁体１４４の少なくとも１つの所定の回転位置において弁本体１４２の内壁の一部を当該導水路１４６を介して水入口４０に対向させる。
【００９４】
導水路１４６は、弁本体１４２の内壁の一部が水入口４０の少なくとも中心の部分に対向するように、形成されている。しかし、導水路１４６は、弁本体１４２の内壁（内周面）の一部が水入口４０の全てに対向するように、形成されていてもよい。
【００９５】
切替弁１４０において、水路１５２がいずれの水出口４６，４８に連通されていても、導水路１４６に流入した圧力水の内、中心を通過し最も高速の圧力水は、水入口４０から入口側水路１５０、中央水路１５４及び出口側水路１５２を直進して通過し、弁本体１４２の内周面に衝突する。
【００９６】
このように、圧力水の最も高速で高エネルギーな部分が、内壁に衝突することなく導水路１４６を通過するので、導水路１４６に流入する圧力流体による回転力は、弁体１４４にほとんど作用しない。
【００９７】
図１１を参照するに、切替弁１６０は、弁本体１６２と、弁本体１６２に角度的に回転可能に配置された弁体１６４とを含む。弁本体１６２は、既に述べた切替弁１４（又は、１２）と同様に、１つの水入口４０（又は、３８）と、２つの水出口４６，４８（又は、４２，４４）とを有している。
【００９８】
弁体１６４は、水入口４０を導水路１６６により、緯入れノズルに連通させる水出口４６に連通させる選択停止位置と、排出口に連通される水出口４８に連通させる非選択停止位置とに選択的に回転される。
【００９９】
導水路１６６は、弁体１６４が選択停止位置に停止されているときに水出口に連通される水路１７０と、弁体１６４が非選択停止位置に停止されているときに水出口に連通される水路１７２と、弁体１６４が選択停止位置及び非選択停止位置のいずれに停止されていてもいずれかの水出口に連通される水路１７４とを備えている。
【０１００】
水路１７０，１７２は、弁体１６４の外周面から軸線６６に向けて半径方向へ伸びて、水路１７４に連通されている。水路１７４は、中心側が軸線６６側となる扇形状の断面形状を有しており、また水路１７０，１７２と反対側に位置されている。弁本体１６２の内周面の一部は、水路１７０及び１７４又は水路１７２及び１７４を介して水入口４０に対向されている。
【０１０１】
それゆえに、導水路１６６は、弁本体１６２の内壁の一部が水入口４０の全てに対向するように、形成されている。このため、水入口に流入した圧力水は、導水路１６６の内壁に回転力を与えることなく弁本体１６２の内壁に達する。従って、切替弁１６０も、切替弁１４０と同様に作用し、同様の効果を生じる。
【０１０２】
上記いずれの切替弁においても、所定の回転位置、特に、選択回転位置又は非選択回転位置は、１つのみであってもよいし、２又はそれ以上であってもよい。また、弁体の駆動手段として、専用のアクチュエータを用いる代わりに、織機の主軸の回転力を変換して伝達するカムやリンク等の運動変換機構を用いてもよい。
【０１０３】
複数の切替弁を用いた圧力水供給装置において、圧力水供給源を切替弁毎に設ける代わりに、圧力水供給源を複数の切替弁で共通に利用してもよい。
【０１０４】
本発明は、上記実施例に限定されず、その趣旨を逸脱しない限り、種々変更することができる。
【図面の簡単な説明】
【図１】本発明に係る圧力水供給装置の一実施例を示す図である。
【図２】（Ａ）は図１における２Ａ−２Ａ線に沿って得た断面図であり、（Ｂ）はは図１における２Ｂ−２Ｂ線に沿って得た断面図である。
【図３】本発明に係る切替弁の第１の実施例を示す断面図であって、（Ａ１）及び（Ｂ２１）は弁体が選択停止位置に回転された状態を示し、（Ａ２）及び（Ｂ１２）は弁体が非選択停止位置に回転された状態を示す。
【図４】本発明に係る切替弁の第２の実施例を示す断面図であって、（Ａ）は弁体が第１の緯入れノズルに選択される第１の選択停止位置に回転された状態を示し、（Ｂ）は弁体が第２の緯入れノズルに選択される第２の非選択停止位置に回転された状態を示す。
【図５】本発明に係る切替弁の第３の実施例を示す断面図であって、（Ａ）は弁体が第１の緯入れノズルに選択される第１の選択停止位置に回転された状態を示し、（Ｂ）は弁体が第２の緯入れノズルに選択される第２の非選択停止位置に回転された状態を示す。
【図６】本発明に係る切替弁の第４の実施例を示す断面図であって、（Ａ）は弁体が第１の緯入れノズルに選択される第１の選択停止位置に回転された状態を示し、（Ｂ）は弁体が第２の緯入れノズルに選択される第２の非選択停止位置に回転された状態を示す。
【図７】図６に示す切替弁の作用を説明するための図である。
【図８】本発明に係る切替弁の第５の実施例を示す断面図であって、（Ａ）は弁体が第１の緯入れノズルに選択される第１の選択停止位置に回転された状態を示し、（Ｂ）は弁体が第２の緯入れノズルに選択される第２の非選択停止位置に回転された状態を示す。
【図９】本発明に係る切替弁の第６の実施例を示す断面図であって、（Ａ）は弁体が第１の緯入れノズルに選択される第１の選択停止位置に回転された状態を示し、（Ｂ）は弁体が第２の緯入れノズルに選択される第２の非選択停止位置に回転された状態を示す。
【図１０】本発明に係る切替弁の第６の実施例を示す断面図であって、（Ａ）は弁体が選択停止位置に回転された状態を示し、（Ｂ）は弁体が非選択停止位置に回転された状態を示す。
【図１１】本発明に係る切替弁の第７の実施例を示す断面図であって、（Ａ）は弁体が選択停止位置に回転された状態を示し、（Ｂ）は弁体が非選択停止位置に回転された状態を示す。
【符号の説明】
１０　圧力水供給装置
１２，１４，８０，１００，１１０，１３０，１６０　切替弁
１６，１８　圧力水供給源
２０，２２，８２，１１２，１４２，１６２　弁本体
２４，２６，８４，１１４，１４４，１６４　弁体
３２　アクチュエータ
３８，４０　水入口
４２，４４，４６，４８　水出口
５０，５２，８６，１１６，１４６，１６６　導水路
６６　弁体の軸線（回転中心）
６８，７０　溝を形成する面
８０　切替弁
８２　弁本体
８４　弁体
９０，９２，９４，１２０，１２２，１２４，１５０，１５２，１５４，１７０，１７２，１７４　水路
９６，９８　壁面
１２６，１２８　穴
１３２，１３４　凹所
【図１】
2004027394.tif 000003
【図２】
2004027394.tif 000004
【図３】
2004027394.tif 000005
【図４】
2004027394.tif 000006
【図５】
2004027394.tif 000007
【図６】
2004027394.tif 000008
【図７】
2004027394.tif 000009
【図８】
2004027394.tif 000010
【図９】
2004027394.tif 000011
【図１０】
2004027394.tif 000012
【図１１】
2004027394.tif 000013